(57)【要約】【課題】  デザイン性の向上及び軽量化の実現を行いながらも、長期間の使用においてもウェブが自重により下方に下がることを確実に回避することができる野球用グラブを提供する点にある。【解決手段】  親指袋１と人差し指袋２の間に形成される隙間を埋めてボールを捕球するための捕球部材を構成するウェブ３の左右幅方向両端を、該親指袋１の側部とこれに対向位置する該人差し指袋２の側部とに渡って連結し、前記ウェブ３の掌側端部と前記親指袋１と人差し指袋２の間に位置する掌部分５との間の隙間Ｓの一部を覆う左右幅寸法を有し、かつ、該ウェブ３の掌側端部と該掌部分５とに渡る長さを有する連結用ウェブ６を該ウェブ３と掌部分５とに一部が重なり合う状態で該両者を連結した。【選択図】        図１
2005329137.tif 000002
【特許請求の範囲】
【請求項１】
親指袋と人差し指袋の間に形成される隙間を埋めてボールを捕球するための捕球部材を構成するウェブの左右幅方向両端を、該親指袋の側部とこれに対向位置する該人差し指袋の側部とに渡って連結し、前記ウェブの掌側端部と前記親指袋と人差し指袋の間に位置する掌部分との間の隙間の一部を覆う左右幅寸法を有し、かつ、該ウェブの掌側端部と該掌部分とに渡る長さを有する連結用ウェブを該ウェブと掌部分とに一部が重なり合う状態で該両者を連結してなる野球用グラブ。
【請求項２】
前記連結用ウェブが１枚の部材を重ね合わせたものでなり、重ね合わせた形状がほぼＶ字状又はほぼＵ字状又はほぼＩ字状に構成されてなる請求項１記載の野球用グラブ。
【請求項３】
前記重ね合わせる前の部材の一端を前記ウェブに貫通してから重ね合わせて接着剤又は縫着又はそれら両方により一体化することで該部材を該ウェブに連結し、この連結された部材の掌部分側端部を掌部分に紐を介して連結してなる請求項２記載の野球用グラブ。
【請求項４】
親指袋と人差し指袋の間に形成される隙間を埋めてボールを捕球するための捕球部材を構成するウェブの左右幅方向両端を、該親指袋の側部とこれに対向位置する該人差し指袋の側部とに渡って連結し、前記ウェブの掌側端部に前記連結用ウェブの一部が入り込むための切欠きを形成し、前記ウェブの掌側端部と前記親指袋と人差し指袋の間に位置する掌部分との間の隙間の一部を覆う左右幅寸法を有し、かつ、該ウェブの掌側端部と該掌部分とに渡る長さを有する連結用ウェブの一端を前記切欠きに入り込ませ、その状態において紐を該一端に備えさせた貫通孔に貫通することにより該一端と該ウェブとを連結し、該連結用ウェブの他端を掌部分に一部が重なり合う状態で連結してなる野球用グラブ。
【請求項５】
野球用グラブの親指袋と人差し指袋の間に形成される隙間を埋めてボールを捕球するべく、該親指袋の側部とこれに対向位置する該人差し指袋の側部とに渡って連結された野球用グラブのウェブにおいて、前記ウェブの掌側端部と前記親指袋と人差し指袋の間に位置する掌部分との間の隙間の一部を覆う左右幅寸法を有し、かつ、該ウェブの掌側端部と該掌部分とに渡る長さを有する連結用ウェブを該ウェブと掌部分とに一部が重なり合う状態で該両者を連結したことを特徴とする野球用グラブのウェブ。
【請求項６】
前記連結用ウェブが１枚の部材を重ね合わせたものでなり、重ね合わせた形状がほぼＶ字状又はほぼＵ字状又はほぼＩ字状に構成されてなる請求項５記載の野球用グラブのウェブ。
【請求項７】
前記重ね合わせる前の部材の一端を前記ウェブに貫通してから重ね合わせて接着剤又は縫着又はそれら両方により一体化することで該部材を該ウェブに連結し、この連結された部材の掌部分側端部を掌部分に紐を介して連結してなる請求項６記載の野球用グラブのウェブ。
【請求項８】
野球用グラブの親指袋と人差し指袋の間に形成される隙間を埋めてボールを捕球するべく、該親指袋の側部とこれに対向位置する該人差し指袋の側部とに渡って連結された野球用グラブのウェブにおいて、前記ウェブの掌側端部に前記連結用ウェブの一部が入り込むための切欠きを形成し、前記ウェブの掌側端部と前記親指袋と人差し指袋の間に位置する掌部分との間の隙間の一部を覆う左右幅寸法を有し、かつ、該ウェブの掌側端部と該掌部分とに渡る長さを有する連結用ウェブの一端を前記切欠きに入り込ませ、その状態において紐を該一端に備えさせた貫通孔に貫通することにより該一端と該ウェブとを連結し、該連結用ウェブの他端を掌部分に一部が重なり合う状態で連結したことを特徴とする野球用グラブのウェブ。
【発明の詳細な説明】
【技術分野】
【０００１】
本発明は、親指袋と人差し指袋の間に形成される隙間を埋めてボールを捕球するための捕球部材を構成するウェブにて長期間に渡って良好な捕球が行える野球用グラブ及びそれのウェブに関する。
【背景技術】
【０００２】
上記ウェブの左右両端を、親指袋と人差し指袋の間に位置させてから、紐を用いて該ウェブの左右両端を人差し指袋と親指袋にそれぞれ連結固定し、ウェブの掌側端部（指袋の付け根側端部）をグラブの掌側部分に貫通させた細い紐にて引っ張り上げることによって、自重により人差し指袋と親指袋との間に支持されたウェブが掌側に下がる（移動する）ことを阻止することができるように構成したものが提案されている（例えば、特許文献１参照）。前記ウェブが親指袋と人差し指袋の間に形成される隙間を全て埋める大きさにしないで、ウェブと掌側部分との間に隙間が形成される大きさに設定することによって、グラブのデザイン性を高めることができるだけでなく、ウェブの軽量化によるグラブの取扱性の向上を図ることができるようにしている。
【特許文献１】特開２００４−５７４８１号公報（図１）
【発明の開示】
【発明が解決しようとする課題】
【０００３】
上記特許文献１に記載されている野球用グラブによれば、細い紐によりウェブを強制的に親指袋と人差し指袋の間に保持しているのであるが、ボールの捕球時にウェブに加わる衝撃力によって細い紐が千切れたり、伸びてしまうことがあるため、ウェブが自重により掌側に下がってしまうことになる。このことを図９に具体的に示している。つまり、図９では、親指袋１と人差し指袋２の間に渡る長さを有する上下一対の上側部材３Ａ及び下側部材３Ｂとこれら一対の部材３Ａ，３Ｂを上下方向で連結する縦部材３ＣとからなるほぼＩ字型のウェブ３の掌側端部をグラブの掌側部分５に貫通させた細い紐２０にて引っ張り上げることになるが、図９に示すように細い紐２０が伸びてしまうと、ウェブ３が２点鎖線で示す位置から自重により実線で示す位置まで下がってしまい、捕球時にボールを取り損なってしまうことになっていた。前記のように取り損なったボールが身体に当たることがあり、改善の余地があった。
【０００４】
本発明が前述の状況に鑑み、解決しようとするところは、デザイン性の向上及び軽量化の実現を行いながらも、長期間の使用においてもウェブが自重により下方に下がることを確実に回避することができる野球用グラブ及び野球用グラブのウェブを提供する点にある。
【課題を解決するための手段】
【０００５】
本発明は、前述の課題解決のために、親指袋と人差し指袋の間に形成される隙間を埋めてボールを捕球するための捕球部材を構成するウェブの左右幅方向両端を、該親指袋の側部とこれに対向位置する該人差し指袋の側部とに渡って連結し、前記ウェブの掌側端部と前記親指袋と人差し指袋の間に位置する掌部分との間の隙間の一部を覆う左右幅寸法を有し、かつ、該ウェブの掌側端部と該掌部分とに渡る長さを有する連結用ウェブを該ウェブと掌部分とに一部が重なり合う状態で該両者を連結して、野球用グラブを構成している。
又、親指袋と人差し指袋の間に形成される隙間を埋めてボールを捕球するための捕球部材を構成するウェブの左右幅方向両端を、該親指袋の側部とこれに対向位置する該人差し指袋の側部とに渡って連結し、前記ウェブの掌側端部に前記連結用ウェブの一部が入り込むための切欠きを形成し、前記ウェブの掌側端部と前記親指袋と人差し指袋の間に位置する掌部分との間の隙間の一部を覆う左右幅寸法を有し、かつ、該ウェブの掌側端部と該掌部分とに渡る長さを有する連結用ウェブの一端を前記切欠きに入り込ませ、その状態において紐を該一端に備えさせた貫通孔に貫通することにより該一端と該ウェブとを連結し、該連結用ウェブの他端を掌部分に一部が重なり合う状態で連結して、野球用グラブを構成してもよい。
又、野球用グラブの親指袋と人差し指袋の間に形成される隙間を埋めてボールを捕球するべく、該親指袋の側部とこれに対向位置する該人差し指袋の側部とに渡って連結された野球用グラブのウェブにおいて、前記ウェブの掌側端部と前記親指袋と人差し指袋の間に位置する掌部分との間の隙間の一部を覆う左右幅寸法を有し、かつ、該ウェブの掌側端部と該掌部分とに渡る長さを有する連結用ウェブを該ウェブと掌部分とに一部が重なり合う状態で該両者を連結したことを特徴とする野球用グラブのウェブであってもよい。
又、野球用グラブの親指袋と人差し指袋の間に形成される隙間を埋めてボールを捕球するべく、該親指袋の側部とこれに対向位置する該人差し指袋の側部とに渡って連結された野球用グラブのウェブにおいて、前記ウェブの掌側端部に前記連結用ウェブの一部が入り込むための切欠きを形成し、前記ウェブの掌側端部と前記親指袋と人差し指袋の間に位置する掌部分との間の隙間の一部を覆う左右幅寸法を有し、かつ、該ウェブの掌側端部と該掌部分とに渡る長さを有する連結用ウェブの一端を前記切欠きに入り込ませ、その状態において紐を該一端に備えさせた貫通孔に貫通することにより該一端と該ウェブとを連結し、該連結用ウェブの他端を掌部分に一部が重なり合う状態で連結したことを特徴とする野球用グラブのウェブであってもよい。
ウェブと掌部分とを連結用ウェブにて両者に一部が重複する状態で連結することによって、ウェブと掌部分との距離（間隔）を常時設定された大きさに維持することが可能になるだけでなく、細い紐にて引っ張り上げる構成の場合に大きな衝撃力が作用したり、長期間の使用などが原因で千切れたり、伸びたりすることを確実に阻止することができる。しかも、ウェブの掌側端部と親指袋と人差し指袋の間に位置する掌部分との間の隙間の一部を覆う左右幅寸法を有するように連結用ウェブを構成することによって、デザイン性の向上及び軽量化の実現を行うことができる。
又、ウェブに形成された切欠きに、連結用ウェブの一端が入り込んだ状態で連結用ウェブをウェブに連結することによって、それらの連結部の間に大きな凹凸部が発生することがなく、ウェブと連結用ウェブとが一体感を持って取り付けられた状態になる。
【０００６】
前記連結用ウェブが１枚の部材を重ね合わせたものでなり、重ね合わせた形状がほぼＶ字状又はほぼＵ字状又はほぼＩ字状に構成されていてもよい。
【０００７】
前記重ね合わせる前の部材の一端を前記ウェブに貫通してから重ね合わせて接着剤又は縫着又はそれら両方により一体化することで該部材を該ウェブに連結し、この連結された部材の掌部分側端部を掌部分に紐を介して連結してもよい。
【発明の効果】
【０００８】
ウェブと掌部分とを連結用ウェブにて両者に一部が重複する状態で連結することによって、ウェブと掌部分との距離（間隔）を常時設定された大きさに維持することが可能になるだけでなく、細い紐にて引っ張り上げる構成の場合に大きな衝撃力が作用したり、長期間の使用などが原因で千切れたり、伸びたりすることを確実に阻止することができ、長期間に渡ってウェブが下方に下がることがなく、良好に使用することができる野球用グラブ及び野球用グラブのウェブを提供することができる。しかも、ウェブの掌側端部と親指袋と人差し指袋の間に位置する掌部分との間の隙間の一部を覆う左右幅寸法を有するように連結用ウェブを構成することによって、デザイン性の向上及び軽量化の実現を行うことができる野球用グラブ及び野球用グラブのウェブとすることができる。
又、ウェブに形成された切欠きに、連結用ウェブの一端が入り込んだ状態で連結用ウェブをウェブに連結することによって、それらの連結部の間に大きな凹凸部が発生することがなく、ウェブと連結用ウェブとが一体感を持って取り付けられた状態になり、商品価値の高い野球用グラブ及び野球用グラブのウェブとすることができる。
【０００９】
連結用ウェブを１枚の部材を重ね合わせたものから構成することによって、２枚の部材を重ね合わせる構成に比べて、位置ずれすることなく、重ね合わせ作業を行うことができ、製造面において有利になる。
【００１０】
部材の一端をウェブに貫通してから重ね合わせて接着剤又は縫着又はそれら両方により一体化することによって、部材をウェブ側へ連結するための紐を不要にすることができるだけでなく、連結作業も不要になり、ウェブと部材との一体感をより一層高めて、デザイン性の高いものにすることができるだけでなく、製造面においても有利になる。
【発明を実施するための最良の形態】
【００１１】
図１に、親指袋１と人差し指袋２の間に形成される隙間を埋めるためのウェブ３を備えた野球用グラブが示されている。この野球用グラブは、図示していないが、前記２つの指袋の他、３本の指袋（中指袋、薬指袋、小指袋）を備えているものであるが、２本又は３本の指袋から構成したもの等、野球用グラブの形状及び構成は図に示されるものに限定されるものではない。前記指袋、ウェブ、後述する連結用ウェブは、一般に革、合成皮革、これらとほぼ同質の素材から構成することが望ましいが、他の素材から構成することもできる。
【００１２】
前記ウェブ３は、親指袋１の上端（先端）と人差し指袋２の上端（先端）とに渡る長さに構成され、かつ、紐４を介して親指袋１の上端と人差し指袋２の上端間に連結された上側部材３Ａと、親指袋１の長手方向ほぼ中央部と人差し指袋２の長手方向ほぼ中央部とに渡る長さに構成され、かつ、図示していない紐を介して親指袋１の長手方向ほぼ中央部と人差し指袋２の長手方向ほぼ中央部間に連結された下側部材３Ｂと、前記上下部材３Ａ，３Ｂの長手方向ほぼ中央部同士を上下方向において紐３Ｄ，３Ｅを介して連結される縦部材３ＣとからなるほぼＩ字型に構成しているが、図５に示すように、一枚ものを折り返して重合したほぼ矩形状（図では長方形であるが、正方形であってもよい）のウェブ３であってもよく、ウェブ３の形状は、自由に変更することができる。尚、前記ウエブ３を構成する部材及び紐は、一般に革、合成皮革、これらとほぼ同質の素材から構成することが望ましいが、他の素材から構成することもできる。
【００１３】
前記ウェブ３の掌側端部と前記親指袋１と人差し指袋２の間に位置する掌部分５との間の隙間Ｓの一部を覆う左右幅寸法を有し、かつ、該ウェブ３の掌側端部と該掌部分５とに渡る長さを有するほぼＶ字状の連結用ウェブ６を、該ウェブ３と掌部分５とに一部が重なり合う状態で該両者を連結している。
【００１４】
具体的には、図７に示すように、前記連結用ウェブ６が１枚の部材からなり、この部材６の一端を、図８に示すようにウェブ３の下側部材３Ｂに形成の左右一対の貫通孔３Ｋ，３Ｋに貫通してから重ね合わせて接着剤（図示せず）にて仮止めした後、糸７（図１、図２参照）を用いて二重の環状部を描くように縫着することによって、重ね合わせた部分が剥がれることがないようにしているが、接着剤のみ又は縫着のみで重ね合わせた部分を密着した状態で固定してもよい。そして、重ね合わせて一体化された前記部材６の掌部分側端部を該部材６に形成の貫通孔６Ｂ，６Ｂと掌部分５に形成の貫通孔（図示せず）とに渡って挿通させた紐８（図１参照）を介して連結して部材（連結用ウェブ）６の連結作業を完了する構成とすることによって、一体感を高めることができるだけでなく、部材６の下側部材３Ｂへの連結用の紐を不要にできると共に紐による連結作業を不要にすることができる利点があるが、部材６の上下両端のそれぞれを紐により連結してもよい。又、前記部材６を重ね合わせた形状がほぼＶ字状に構成したが、図３に示すように、ほぼＩ字状（この場合は一対の部材６としているが、幅の大きなものであれば、１つであってもよい）に構成してもよいし、又、図４に示すように、ほぼＵ字状に構成してもよいし、又、図示していないが、Ｘ字状に構成してもよく、部材６の形状はこれらの形状に限定されるものではない。図に示したほぼＩ字状の連結用ウェブ６及びほぼＵ字状の連結用ウェブ６も前記と同様に１枚の部材から構成してあり、重ね合わせる時に位置ずれすることが少なく、重ね合わせ作業を容易に行うことができる利点があるが、２枚の部材から構成することもできる。
【００１５】
図６に示すように、前記ウェブ３の掌側端部に前記連結用ウェブ６の一部が入り込むための一対の切欠き３Ｚ，３Ｚを形成し、これら切欠き３Ｚ，３Ｚに、前記ウェブ３の掌側端部と前記親指袋１と人差し指袋２の間に位置する掌部分５との間の隙間Ｓの一部を覆う左右幅寸法を有し、かつ、該ウェブ３の掌側端部と該掌部分５とに渡る長さを有する前述した連結用ウェブ６、つまり１枚の部材を重ね合わせてほぼＶ字状となった連結用ウェブ６の一端に形成された一対の貫通孔６Ａ，６Ａが入り込んだ状態で図示していない紐にて一点鎖線にて示すように貫通して連結し、かつ、該連結用ウェブ６の他端を前述したように掌部分５に一部が重なり合う状態で紐８を介して連結してもよい。図に示す６Ｂは、紐８が挿通される貫通孔である。
前記ウェブ３及び連結用ウェブ６を一体化したものを多種類用意しておけば、野球用グラブに備えているウェブを取り外して一体化されたウェブ３及び連結用ウェブ６を取り付ける交換作業を迅速に行える利点がある。
【図面の簡単な説明】
【００１６】
【図１】ウェブ側から見た野球用グラブの背面図である。
【図２】図１の野球用グラブのウェブ及び連結用ウェブを示す要部の斜視図である。
【図３】別の形状の連結用ウェブを示す要部の斜視図である。
【図４】別の形状の連結用ウェブを示す要部の斜視図である。
【図５】別の形状のウェブを示す要部の斜視図である。
【図６】別の形状のウェブを示す要部の斜視図である。
【図７】連結用ウェブの斜視図である。
【図８】連結用ウェブの一端をウェブに挿通させた状態を示す要部の斜視図である。
【図９】ウェブ側から見た従来の野球用グラブの背面図である。
【符号の説明】
【００１７】
１  親指袋
２  人差し指袋
３  ウェブ
３Ａ，３Ｂ  上下部材
３Ｄ，３Ｅ  紐
３Ｃ  縦部材
３Ｋ  貫通孔
４  紐
５  掌側部分
６Ａ  貫通孔
６  連結用ウェブ
７  糸
８  紐
２０  紐
Ｓ  隙間
【図１】
2005329137.tif 000003
【図２】
2005329137.tif 000004
【図３】
2005329137.tif 000005
【図４】
2005329137.tif 000006
【図５】
2005329137.tif 000007
【図６】
2005329137.tif 000008
【図７】
2005329137.tif 000009
【図８】
2005329137.tif 000010
【図９】
2005329137.tif 000011